(57)【特許請求の範囲】
【請求項１】
ソフトハンドオーバが適用される第１個別チャネルと、ハードハンドオーバが適用される第２個別チャネルと、が存在する無線通信システムにおいて使用される基地局装置であって、
第１個別チャネルがソフトハンドオーバ状態にあるか否か判定する判定手段と、
前記判定手段によって第１個別チャネルがソフトハンドオーバ状態にあると判定された場合は、下り方向の第２個別チャネルの送信電力を、下り方向の第１個別チャネルの送信電力にオフセットΔＰ＝ΣＰｉ／Ｐ１（但し、Ｐｉは第１個別チャネルが接続されている各基地局ｉからのパイロットチャネルの通信端末装置における各受信電力、Ｐ１は第１個別チャネルおよび第２個別チャネルが接続されている自局からのパイロットチャネルの通信端末装置における受信電力）を加えた電力に設定する制御手段と、
を具備することを特徴とする基地局装置。
【請求項２】
請求項１記載の基地局装置へ前記オフセットΔＰを送信する通信端末装置であって、
前記Ｐｉを測定する測定手段と、
測定された前記Ｐｉから前記オフセットΔＰを算出する算出手段と、
算出された前記オフセットΔＰを上り方向の第２個別チャネルを介して請求項１記載の基地局装置へ送信する送信手段と、
を具備することを特徴とする通信端末装置。
【請求項３】
ソフトハンドオーバが適用される第１個別チャネルと、ハードハンドオーバが適用される第２個別チャネルと、が存在する無線通信システムにおいて使用される送信電力制御方法であって、
第１個別チャネルがソフトハンドオーバ状態にある場合は、下り方向の第２個別チャネルの送信電力を、下り方向の第１個別チャネルの送信電力にオフセットΔＰ＝ΣＰｉ／Ｐ１（但し、Ｐｉは第１個別チャネルが接続されている各基地局ｉからのパイロットチャネルの通信端末装置における各受信電力、Ｐ１は第１個別チャネルおよび第２個別チャネルが接続されている基地局装置からのパイロットチャネルの通信端末装置における受信電力）を加えた電力に設定する、
ことを特徴とする送信電力制御方法。
【発明の詳細な説明】
【０００１】
【発明の属する技術分野】
本発明は、通信端末装置、基地局装置、および送信電力制御方法に関する。
【０００２】
【従来の技術】
無線通信システムの分野において、高速大容量な下りチャネルを複数の通信端末が共有し、下り回線で高速パケット伝送を行うＨＳＤＰＡ（Ｈｉｇｈ  Ｓｐｅｅｄ  Ｄｏｗｎｌｉｎｋ  Ｐａｃｋｅｔ  Ａｃｃｅｓｓ）が提案されている。また、最近、上り回線のパケット伝送速度を高速化するための技術（この技術を、以下、本明細書中ではＦａｓｔ−ＵＬ（Ｆａｓｔ  −  Ｕｐｌｉｎｋ）という）が検討されている。ＨＳＤＰＡでは、ＨＳ−ＰＤＳＣＨ（Ｈｉｇｈ  Ｓｐｅｅｄ  −  Ｐｈｙｓｉｃａｌ  Ｄｏｗｎｌｉｎｋ  Ｓｈａｒｅｄ  Ｃｈａｎｎｅｌ）、Ａ−ＤＰＣＨ（Ａｓｓｏｃｉａｔｅｄ  −  Ｄｅｄｉｃａｔｅｄ  Ｐｈｙｓｉｃａｌ  Ｃｈａｎｎｅｌ）、ＨＳ−ＤＰＣＣＨ（Ｈｉｇｈ  Ｓｐｅｅｄ  −  Ｄｅｄｉｃａｔｅｄ  Ｐｈｙｓｉｃａｌ  Ｃｏｎｔｒｏｌ  Ｃｈａｎｎｅｌ）等の複数のチャネルが用いられる。また、Ｆａｓｔ−ＵＬでも同様に、ＨＳ−ＰＵＳＣＨ（Ｈｉｇｈ  Ｓｐｅｅｄ  −  Ｐｈｙｓｉｃａｌ  Ｕｐｌｉｎｋ  Ｓｈａｒｅｄ  Ｃｈａｎｎｅｌ）、Ａ−ＤＰＣＨ、ＨＳ−ＤＰＣＣＨ等の複数のチャネルが用いられると考えられる。
【０００３】
ＨＳ−ＰＤＳＣＨは、パケットの伝送に使用される下り方向の共有チャネルである。ＨＳ−ＰＵＳＣＨは、パケットの伝送に使用される上り方向の共有チャネルである。Ａ−ＤＰＣＨは、共有チャネルに付随する、上り方向または下り方向の個別付随チャネルであり、パイロット信号やＴＰＣ（Ｔｒａｎｓｍｉｓｓｉｏｎ  Ｐｏｗｅｒ  Ｃｏｎｔｒｏｌ）コマンドおよび通信を維持するための制御信号等が伝送される。ＨＳ−ＤＰＣＣＨは、上り方向または下り方向の個別制御チャネルであり、ＡＣＫ信号あるいはＮＡＣＫ信号、ＣＱＩ（Ｃｈａｎｎｅｌ  Ｑｕａｌｉｔｙ  Ｉｎｄｉｃａｔｏｒ）信号等、共有チャネルを制御するための信号が伝送される。なお、ＡＣＫ信号とは、基地局また通信端末から送信された高速パケットが、通信端末または基地局において正しく復調できたことを示す信号であり、ＮＡＣＫ信号とは、基地局また通信端末から送信された高速パケットが、通信端末または基地局において正しく復調できなかったことを示す信号である。また、ＣＱＩは、回線品質に基づいて作成される信号であり、例えば、パケットの変調方式、ブロックサイズ、送信電力調節値等の組み合わせを示す信号である。ＨＳＤＰＡでは、通信端末は、このＣＱＩを使用して、自分が望む変調方式、ブロックサイズ、送信電力調節値等を通信相手に通知する。Ｆａｓｔ−ＵＬでのＣＱＩも回線品質に基づいて作成される信号ではあるが、その具体的な内容については決まっていない。
【０００４】
なお、Ｆａｓｔ−ＵＬでは、Ａ−ＤＰＣＨ、ＨＳ−ＤＰＣＣＨ共に、上り方向および下り方向の双方が存在し、上り方向のＨＳ−ＤＰＣＣＨを介してＣＱＩが伝送され、下り方向のＨＳ−ＤＰＣＣＨを介してＡＣＫ信号／ＮＡＣＫ信号が伝送される。これに対し、ＨＳＤＰＡでは、Ａ−ＤＰＣＨは上り方向および下り方向の双方が存在するが、ＨＳ−ＤＰＣＣＨは上り方向しか存在せず、上り方向のＨＳ−ＤＰＣＣＨを介してＣＱＩとＡＣＫ信号／ＮＡＣＫ信号が伝送される。また、Ａ−ＤＰＣＨにはソフトハンドオーバ（ＳＨＯ）が適用される。これに対し、ＨＳ−ＰＤＳＣＨ、ＨＳ−ＰＵＳＣＨおよびＨＳ−ＤＰＣＣＨにはハードハンドオーバ（ＨＨＯ）が適用され、ＨＳ−ＰＤＳＣＨ、ＨＳ−ＰＵＳＣＨおよびＨＳ−ＤＰＣＣＨは常に１つの基地局だけと接続される。また、ＨＳ−ＰＤＳＣＨやＨＳ−ＰＵＳＣＨがＨＨＯするタイミングと、ＨＳ−ＤＰＣＣＨがＨＨＯするタイミングは同じである。
【０００５】
【発明が解決しようとする課題】
以下、Ｆａｓｔ−ＵＬを例に挙げ、ＨＳ−ＤＰＣＣＨの送信電力制御について図８〜図１０を用いて説明する。図８は、Ａ−ＤＰＣＨがＳＨＯ状態にない場合を示し、図９および図１０は、Ａ−ＤＰＣＨがＳＨＯ状態にある場合を示す。ここで、Ａ−ＤＰＣＨがＳＨＯ状態にない場合とは、通信端末が１つの基地局との間だけでＡ−ＤＰＣＨを接続している状態にある場合であり、Ａ−ＤＰＣＨがＳＨＯ状態にある場合とは、通信端末が複数の基地局との間で同時にＡ−ＤＰＣＨを接続している状態にある場合である。
【０００６】
図８に示すように、Ａ−ＤＰＣＨの送信電力は、一般的に良く知られているクローズドループ送信電力制御によって、ＴＰＣコマンドに従って、Ａ−ＤＰＣＨの受信ＳＩＲが目標ＳＩＲとなるように制御される。一方、ＨＳ−ＤＰＣＣＨについては、Ａ−ＤＰＣＨのＴＰＣコマンドに従って、Ａ−ＤＰＣＨと同様の送信電力制御がなされる。これにより、Ａ−ＤＰＣＨがＳＨＯ状態にない場合には、ＨＳ−ＤＰＣＣＨの受信ＳＩＲは所要ＳＩＲを満たすことができる。
【０００７】
通信端末が基地局１から基地局２の方へ移動すると、通信端末は基地局１との間および基地局２との間の双方でＡ−ＤＰＣＨを接続し、Ａ−ＤＰＣＨがＳＨＯ状態になる。そして、Ａ−ＤＰＣＨがＳＨＯ状態にあるとき、ＨＨＯが適用されるＨＳ−ＤＰＣＣＨの送信電力制御は以下のようにして行われる。
【０００８】
まず、図９を用いて、ＨＳ−ＤＰＣＣＨの上り方向の送信電力制御について説明する。Ａ−ＤＰＣＨがＳＨＯ状態になると、基地局１および基地局２の双方が、通信端末から送信されたＡ−ＤＰＣＨ信号を受信する。基地局１は、基地局１での受信ＳＩＲが目標ＳＩＲになるようにＴＰＣコマンドを作成して通信端末へ送信する。また、基地局２は、基地局２での受信ＳＩＲが目標ＳＩＲになるようにＴＰＣコマンドを作成して通信端末へ送信する。通信端末は、受信した複数のＴＰＣコマンドのすべてが送信電力を上げることを指示するＴＰＣコマンドであれば、Ａ−ＤＰＣＨの送信電力を上げ、受信した複数のＴＰＣコマンドのうち１つでも送信電力を下げることを指示するＴＰＣコマンドであれば、Ａ−ＤＰＣＨの送信電力を下げる。よって、基地局１から送信電力を上げることを指示するＴＰＣコマンドが送信され、基地局２から送信電力を下げることを指示するＴＰＣコマンドが送信された場合は、通信端末は、Ａ−ＤＰＣＨ信号の送信電力を下げる。ＨＳ−ＤＰＣＣＨの送信電力はＡ−ＤＰＣＨの送信電力と同じように制御されるため、Ａ−ＤＰＣＨ信号の送信電力が下げられたことに伴い、図９に示すように、ＨＳ−ＤＰＣＣＨ信号の送信電力も下げられる。
【０００９】
ここで、上り方向のＡ−ＤＰＣＨについては、Ａ−ＤＰＣＨがＳＨＯ状態にある場合は、基地局１で受信されたＡ−ＤＰＣＨ信号と基地局２で受信されたＡ−ＤＰＣＨ信号とが制御局において選択合成される。このため、上記のように、Ａ−ＤＰＣＨの送信電力が下げられた場合でも、制御局では上り方向のＡ−ＤＰＣＨのＳＩＲは所要ＳＩＲを満たすため、特に問題ない。
【００１０】
これに対し、ＨＨＯが適用されるＨＳ−ＤＰＣＣＨは、Ａ−ＤＰＣＨがＳＨＯ状態にある場合でも、いずれか１つの基地局との間でしか接続されない。このため、上記のように、上り方向のＡ−ＤＰＣＨの送信電力が下げられたことに伴い上り方向のＨＳ−ＤＰＣＣＨの送信電力も下げられると、上り方向のＨＳ−ＤＰＣＣＨのＳＩＲが所要ＳＩＲを満たさなくなってしまうことがある。
【００１１】
次に、図１０を用いて、ＨＳ−ＤＰＣＣＨの下り方向の送信電力制御について説明する。Ａ−ＤＰＣＨがＳＨＯ状態になると、通信端末は、基地局１および基地局２の双方から送信されたＡ−ＤＰＣＨ信号を受信する。通信端末は、基地局１から送信されたＡ−ＤＰＣＨ信号と基地局２から送信されたＡ−ＤＰＣＨ信号とを合成し、その合成した信号の受信ＳＩＲが目標ＳＩＲになるようにＴＰＣコマンドを作成する。そして、同一のＴＰＣコマンドを基地局１および基地局２の双方へ送信する。
【００１２】
ここで、通信端末において、基地局１から送信されたＡ−ＤＰＣＨ信号だけでは受信ＳＩＲが目標ＳＩＲ未満となる場合であっても、合成した信号の受信ＳＩＲが目標ＳＩＲ以上となる場合には、図１０に示すように、送信電力を下げることを指示するＴＰＣコマンドが送信される。ＨＳ−ＤＰＣＣＨの送信電力はＡ−ＤＰＣＨの送信電力と同じように制御されるため、基地局１では、ＴＰＣコマンドに従ってＡ−ＤＰＣＨ信号の送信電力が下げられたことに伴い、図１０に示すように、ＨＳ−ＤＰＣＣＨ信号の送信電力も下げられる。
【００１３】
ＨＨＯが適用されるＨＳ−ＤＰＣＣＨは、Ａ−ＤＰＣＨがＳＨＯ状態にある場合でも、いずれか１つの基地局との間でしか接続されない。このため、上記のように、下り方向のＡ−ＤＰＣＨの送信電力が下げられたことに伴い下り方向のＨＳ−ＤＰＣＣＨの送信電力も下げられると、通信端末において、下り方向のＨＳ−ＤＰＣＣＨのＳＩＲが所要ＳＩＲを満たさなくなってしまうことがある。
【００１４】
なお、この課題は、Ｆａｓｔ−ＵＬでだけではなく、ＨＳＤＰＡにおいても同様に生じる課題である。
【００１５】
本発明はかかる点に鑑みてなされたものであり、ＳＨＯが適用されるＡ−ＤＰＣＨとＨＨＯが適用されるＨＳ−ＤＰＣＣＨとが存在する無線通信システムにおいて、ＨＳ−ＤＰＣＣＨに対して適切な送信電力制御を行って、ＨＳ−ＤＰＣＣＨの受信ＳＩＲを所要ＳＩＲに保つことができる通信端末装置、基地局装置、および送信電力制御方法を提供することを目的とする。
【００１６】
【課題を解決するための手段】
本発明では、上記課題を解決し、目的を達成するために、ＳＨＯが適用されるＡ−ＤＰＣＨとＨＨＯが適用されるＨＳ−ＤＰＣＣＨとが存在する無線通信システムにおいて、Ａ−ＤＰＣＨがＳＨＯ状態にある場合は、下り方向のＨＳ−ＤＰＣＣＨの送信電力を下り方向のＡ−ＤＰＣＨの送信電力にオフセットΔＰ＝ΣＰｉ／Ｐ１（但し、ＰｉはＡ−ＤＰＣＨが接続されている各基地局ｉからのパイロットチャネルの通信端末装置における各受信電力、Ｐ１はＡ−ＤＰＣＨおよびＨＳ−ＤＰＣＣＨが接続されている基地局装置からのパイロットチャネルの通信端末装置における受信電力）を加えた電力に設定する。
【００１７】
これにより、ＳＨＯが適用されるＡ−ＤＰＣＨとＨＨＯが適用されるＨＳ−ＤＰＣＣＨとが存在する無線通信システムにおいて、Ａ−ＤＰＣＨがＳＨＯ状態にある場合でも、ＨＳ−ＤＰＣＣＨに対して適切な送信電力制御を行うことができる。
【００１８】
【発明の実施の形態】
図１は、本発明の一実施の形態に係る通信端末装置の構成を示すブロック図である。この通信端末装置は、Ｆａｓｔ−ＵＬやＨＳＤＰＡが行われる移動体通信システムにおいて使用されるものである。
【００１９】
受信部１００は、受信無線部１４、逆拡散部１６、復調部１８、復号部２０から構成される。
【００２０】
受信無線部１４は、アンテナ１２を介して受信された信号に対してダウンコンバート、ＡＧＣ（Ａｕｔｏ  Ｇａｉｎ  Ｃｏｎｔｒｏｌ）、Ａ／Ｄ変換等の処理を施す。この受信信号には、上り方向のＡ−ＤＰＣＨ用のＴＰＣコマンド、および、上り方向のＡ−ＤＰＣＨの送信電力に対する上り方向のＨＳ−ＤＰＣＣＨの送信電力のオフセットが含まれている。また、このＴＰＣコマンドは下り方向のＡ−ＤＰＣＨを介して基地局から受信され、また、このオフセットは下り方向のＨＳ−ＤＰＣＣＨを介して基地局から受信される。
【００２１】
逆拡散部１６は、受信信号に対して、それぞれのチャネルに割り当てられている拡散コードで逆拡散処理を施す。復調部１８は、逆拡散後のＱＰＳＫ等の信号を復調する。復調された信号は、復号部２０およびＳＩＲ測定部２４に入力される。復号部２０は、復調された受信信号に対して誤り訂正復号やＣＲＣ（Ｃｙｃｌｉｃ  Ｒｅｄｕｎｄａｎｃｙ  Ｃｈｅｃｋ）を行って受信信号を復号する。これにより受信データ（ビット列）が得られる。受信データは、ＴＰＣコマンド抽出部２２およびオフセット抽出部３４に入力される。
【００２２】
ＴＰＣコマンド抽出部２２は、Ａ−ＤＰＣＨの受信データのタイムスロットに格納されている上り方向のＡ−ＤＰＣＨ用のＴＰＣコマンドを抽出する。抽出されたＴＰＣコマンドは、送信無線部４２に入力される。
【００２３】
通信端末は、基地局１から一定電力で送信されるＣＰＩＣＨ（Ｃｏｍｍｏｎ  Ｐｉｌｏｔ  Ｃｈａｎｎｅｌ）信号（ＣＰＩＣＨ１）と、基地局２から一定電力で送信されるＣＰＩＣＨ信号（ＣＰＩＣＨ２）とを常に受信している。そこで、パイロット測定部２８は、ＣＰＩＣＨ１の受信電力と、ＣＰＩＣＨ２の受信電力を測定する。測定された受信電力は、ＨＯ判定部３０およびオフセット算出部３２に入力される。
【００２４】
ＨＯ（ハンドオーバ）判定部３０は、Ａ−ＤＰＣＨがＳＨＯ状態にあるか否か判定し、判定結果をオフセット算出部３２および送信無線部４２に入力する。通信端末が基地局１から基地局２の方へ移動してゆき、通信端末において、ＣＰＩＣＨ１の受信電力とＣＰＩＣＨ２の受信電力との差が例えば３ｄＢになった時点で、Ａ−ＤＰＣＨはＳＨＯ状態となる。このように、ＨＯ判定部３０は、ＣＰＩＣＨ１の受信電力とＣＰＩＣＨ２の受信電力との差を観測することにより、ＳＨＯの開始とＳＨＯの終了を検出して、Ａ−ＤＰＣＨがＳＨＯ状態にあるか否かを判定することができる。なお、パイロット測定部２８がＣＰＩＣＨ信号の受信ＳＩＲを測定し、ＨＯ判定部３０が、ＣＰＩＣＨ１の受信ＳＩＲとＣＰＩＣＨ２の受信ＳＩＲとの差を観測することにより、同様にして、Ａ−ＤＰＣＨがＳＨＯ状態にあるか否かを判定することができる。また、上位レイヤから送られる制御信号、すなわち、制御局からの通知により、Ａ−ＤＰＣＨがＳＨＯ状態にあるか否かを判定することもできる。
【００２５】
オフセット算出部３２は、Ａ−ＤＰＣＨがＳＨＯ状態にある場合だけ動作し、基地局において使用されるオフセットで、下り方向のＡ−ＤＰＣＨの送信電力に対する下り方向のＨＳ−ＤＰＣＣＨの送信電力のオフセットを算出する。そして、算出したオフセットを上り方向のＨＳ−ＤＰＣＣＨを介して通知するために符号化部３６に入力する。よって、オフセット算出部３２により算出されたオフセットは、Ａ−ＤＰＣＨがＳＨＯ状態にある場合だけ、上り方向のＨＳ−ＤＰＣＣＨを介して基地局へ送信される。
【００２６】
オフセット算出部３２では、オフセットは以下のようにして算出される。ＣＰＩＣＨ１の受信電力をＰ１、ＣＰＩＣＨ２の受信電力をＰ２とすると、オフセットΔＰｄｏｗｎは、
ΔＰｄｏｗｎ＝（Ｐ１＋Ｐ２）／Ｐ１  …（１）
として算出される。Ｐ１、Ｐ２、ΔＰｄｏｗｎは真値であり、単位はｄＢである。このオフセットΔＰｄｏｗｎが、Ａ−ＤＰＣＨがＳＨＯ状態にある場合に、ＨＳ−ＤＰＣＣＨが接続されている基地局へ上り方向のＨＳ−ＤＰＣＣＨを介して通知される。このようにしてオフセットΔＰｄｏｗｎを求めるのは、以下の理由による。すなわち、Ａ−ＤＰＣＨがＳＨＯ状態にある場合で、ＨＳ−ＤＰＣＣＨがＨＨＯ前の状態では、Ａ−ＤＰＣＨが基地局１および基地局２の双方と接続されているのに対し、ＨＳ−ＤＰＣＣＨは基地局１とだけ接続されている。このとき、基地局１からだけ送信されるＨＳ−ＤＰＣＣＨ信号がＰ１＋Ｐ２の電力で通信端末に受信されるためには、Ａ−ＤＰＣＨ信号の（Ｐ１＋Ｐ２）／Ｐ１倍の電力が必要であるからである。なお、下り回線の所要オフセット量の推移の様子を図２に示す。また、パイロット測定部２８がＣＰＩＣＨ信号の受信ＳＩＲを測定し、オフセット算出部３２が、ＣＰＩＣＨ１の受信ＳＩＲをＰ１、ＣＰＩＣＨ２の受信ＳＩＲをＰ２として、上式（１）によりオフセット量ΔＰｄｏｗｎを算出してもよい。
【００２７】
ＳＩＲ測定部２４は、Ａ−ＤＰＣＨの受信信号のＳＩＲを測定する。測定されたＳＩＲは、ＴＰＣコマンド作成部２６に入力される。
【００２８】
ＴＰＣコマンド作成部２６は、Ａ−ＤＰＣＨの受信ＳＩＲと目標ＳＩＲとを比較し、その比較結果に基づいて下り方向のＡ−ＤＰＣＨ用のＴＰＣコマンドを作成する。測定されたＳＩＲが目標ＳＩＲ以上であれば送信電力を下げること（Ｄｏｗｎ）を指示するＴＰＣコマンドが作成され、測定されたＳＩＲが目標ＳＩＲ未満であれば送信電力を上げること（Ｕｐ）を指示するＴＰＣコマンドが作成される。作成されたＴＰＣコマンドは、符号化部３６に入力される。
【００２９】
オフセット抽出部３４は、ＨＳ−ＤＰＣＣＨの受信データに格納されているオフセット（上り方向のＡ−ＤＰＣＨの送信電力に対する上り方向のＨＳ−ＤＰＣＣＨの送信電力のオフセット）を抽出する。抽出されたオフセットは、送信無線部４２に入力される。
【００３０】
送信部２００は、符号化部３６、変調部３８、拡散部４０、送信無線部４２から構成される。
【００３１】
符号化部３６は、送信データ（ビット列）に対して畳み込み符号化、ＣＲＣ符号化を行って送信データを符号化し、複数のタイムスロットから構成される送信フレームを構成する。このとき、Ａ−ＤＰＣＨのタイムスロットに下り方向のＡ−ＤＰＣＨ用のＴＰＣコマンドを埋め込み、ＨＳ−ＤＰＣＣＨのタイムスロットに下り方向のＨＳ−ＤＰＣＣＨ用のオフセットを埋め込む。
【００３２】
変調部３８は、送信データに対してＱＰＳＫ等の変調処理を施す。拡散部４０は、変調後の送信信号に対して、それぞれのチャネルに割り当てられている拡散コードで拡散処理を施す。
【００３３】
送信無線部４２は、拡散後の送信信号に対してＤ／Ａ変換、送信電力制御、アップコンバート等の処理を施した後、送信信号をアンテナ１２を介して送信する。この際、送信無線部４２は、ＨＯ判定部３０での判定結果に基づいて、送信電力制御を行う。
【００３４】
ＨＯ判定部３０によってＡ−ＤＰＣＨがＳＨＯ状態にないと判定された場合は、送信無線部４２は、上り方向のＡ−ＤＰＣＨの送信電力をＡ−ＤＰＣＨ用のＴＰＣコマンドに従って制御すると共に、上り方向のＨＳ−ＤＰＣＣＨの送信電力を上り方向のＡ−ＤＰＣＨの送信電力と等しい電力に設定する。
【００３５】
一方、ＨＯ判定部３０によってＡ−ＤＰＣＨがＳＨＯ状態にあると判定された場合は、送信無線部４２は、上り方向のＡ−ＤＰＣＨの送信電力をＡ−ＤＰＣＨ用のＴＰＣコマンドに従って制御すると共に、上り方向のＨＳ−ＤＰＣＣＨの送信電力を、上り方向のＡ−ＤＰＣＨの送信電力にオフセット抽出部３４で抽出されたオフセットを加えた電力に設定する。
【００３６】
次に、上記通信端末装置と無線通信する基地局装置について説明する。図３は、本発明の一実施の形態に係る基地局装置の構成を示すブロック図である。この基地局装置は、Ｆａｓｔ−ＵＬやＨＳＤＰＡが行われる移動体通信システムにおいて使用されるものである。
【００３７】
受信部３００は、受信無線部５４、逆拡散部５６、復調部５８、復号部６０から構成される。
【００３８】
受信無線部５４は、アンテナ５２を介して受信された信号に対してダウンコンバート、ＡＧＣ（Ａｕｔｏ  Ｇａｉｎ  Ｃｏｎｔｒｏｌ）、Ａ／Ｄ変換等の処理を施す。この受信信号には、下り方向のＡ−ＤＰＣＨ用のＴＰＣコマンド、および、下り方向のＡ−ＤＰＣＨの送信電力に対する下り方向のＨＳ−ＤＰＣＣＨの送信電力のオフセットが含まれている。また、このＴＰＣコマンドは上り方向のＡ−ＤＰＣＨを介して通信端末から受信され、また、このオフセットは上り方向のＨＳ−ＤＰＣＣＨを介して通信端末から受信される。
【００３９】
逆拡散部５６は、受信信号に対して、それぞれのチャネルに割り当てられている拡散コードで逆拡散処理を施す。復調部５８は、逆拡散後のＱＰＳＫ等の信号を復調する。復調された信号は、復号部６０およびＳＩＲ測定部６４に入力される。復号部６０は、復調された受信信号に対してＣＲＣや誤り訂正復号を行って受信信号を復号する。これにより受信データ（ビット列）が得られる。受信データは、ＴＰＣコマンド抽出部６２およびオフセット抽出部６８に入力される。
【００４０】
ＴＰＣコマンド抽出部６２は、Ａ−ＤＰＣＨの受信データのタイムスロットに格納されている下り方向のＡ−ＤＰＣＨ用のＴＰＣコマンドを抽出する。抽出されたＴＰＣコマンドは、送信無線部８０に入力される。
【００４１】
オフセット抽出部６８は、ＨＳ−ＤＰＣＣＨの受信データのタイムスロットに格納されているオフセット（下り方向のＡ−ＤＰＣＨの送信電力に対する下り方向のＨＳ−ＤＰＣＣＨの送信電力のオフセット）を抽出する。抽出されたオフセットは、送信無線部８０に入力される。
【００４２】
ＳＩＲ測定部６４は、Ａ−ＤＰＣＨの受信信号のＳＩＲを測定する。測定されたＳＩＲは、ＴＰＣコマンド作成部６６およびオフセット算出部７２に入力される。
【００４３】
ＴＰＣコマンド作成部６６は、Ａ−ＤＰＣＨの受信ＳＩＲと目標ＳＩＲとを比較し、その比較結果に基づいて上り方向のＡ−ＤＰＣＨ用のＴＰＣコマンドを作成する。測定されたＳＩＲが目標ＳＩＲ以上であれば送信電力を下げること（Ｄｏｗｎ）を指示するＴＰＣコマンドが作成され、測定されたＳＩＲが目標ＳＩＲ未満であれば送信電力を上げること（Ｕｐ）を指示するＴＰＣコマンドが作成される。作成されたＴＰＣコマンドは、符号化部７４に入力される。
【００４４】
ＨＯ判定部７０は、Ａ−ＤＰＣＨがＳＨＯ状態にあるか否か判定し、判定結果をオフセット算出部７２および送信無線部８０に入力する。ＨＯ判定部７０は、制御局から通知される情報で、Ａ−ＤＰＣＨがＳＨＯ状態にあるか否かを示す情報（ＨＯ情報）が入力され、このＨＯ情報によって、Ａ−ＤＰＣＨがＳＨＯ状態にあるか否かを判定することができる。判定結果は、オフセット算出部７２に入力される。
【００４５】
オフセット算出部７２は、Ａ−ＤＰＣＨがＳＨＯ状態にある場合だけ動作し、通信端末において使用されるオフセットで、上り方向のＡ−ＤＰＣＨの送信電力に対する上り方向のＨＳ−ＤＰＣＣＨの送信電力のオフセットを算出する。そして、算出したオフセットを下り方向のＨＳ−ＤＰＣＣＨを介して通知するために符号化部７４に入力する。よって、オフセット算出部７２により算出されたオフセットは、Ａ−ＤＰＣＨがＳＨＯ状態にある場合だけ、下り方向のＨＳ−ＤＰＣＣＨを介して通信端末へ送信される。
【００４６】
オフセット算出部７２では、オフセットは以下のようにして算出される。Ａ−ＤＰＣＨの受信ＳＩＲをＳＩＲ１、目標ＳＩＲをＳＩＲ２とすると、オフセットΔＰｕｐは、
ΔＰｕｐ＝ＳＩＲ２−ＳＩＲ１  …（２）
として算出される。ＳＩＲ１、ＳＩＲ２、ΔＰｕｐの単位はｄＢである。このオフセットΔＰｕｐが、Ａ−ＤＰＣＨがＳＨＯ状態にある場合に、通信端末へ下り方向のＨＳ−ＤＰＣＣＨを介して通知される。このようにしてオフセットΔＰｕｐを求めるのは、以下の理由による。すなわち、Ａ−ＤＰＣＨがＳＨＯ状態にある場合で、ＨＳ−ＤＰＣＣＨがＨＨＯ前の状態では、Ａ−ＤＰＣＨが基地局１および基地局２の双方と接続されているのに対し、ＨＳ−ＤＰＣＣＨは基地局１とだけ接続されている。このとき、オフセットΔＰｕｐは、１つの基地局でしか受信されないＨＳ−ＤＰＣＣＨにとって、所要ＳＩＲを満たすために必要となる不足分の電力を表すからである。なお、上り回線の所要オフセット量の推移の様子を図４に示す。
【００４７】
送信部４００は、符号化部７４、変調部７６、拡散部７８、送信無線部８０から構成される。
【００４８】
符号化部７４は、送信データ（ビット列）に対してＣＲＣ符号化、畳み込み符号化を行って送信データを符号化し、複数のタイムスロットから構成される送信フレームを構成する。このとき、Ａ−ＤＰＣＨのタイムスロットに上り方向のＡ−ＤＰＣＨ用のＴＰＣコマンドを埋め込み、ＨＳ−ＤＰＣＣＨのタイムスロットに上り方向のＨＳ−ＤＰＣＣＨ用のオフセットを埋め込む。
【００４９】
変調部７６は、送信データに対してＱＰＳＫ等の変調処理を施す。拡散部７８は、変調後の送信信号に対して、それぞれのチャネルに割り当てられている拡散コードで拡散処理を施す。
【００５０】
送信無線部８０は、拡散後の送信信号に対してＤ／Ａ変換、送信電力制御、アップコンバート等の処理を施した後、送信信号をアンテナ５２を介して送信する。この際、送信無線部８０は、ＨＯ判定部７０での判定結果に基づいて、送信電力制御を行う。
【００５１】
ＨＯ判定部７０によってＡ−ＤＰＣＨがＳＨＯ状態にないと判定された場合は、送信無線部８０は、下り方向のＡ−ＤＰＣＨの送信電力をＡ−ＤＰＣＨ用のＴＰＣコマンドに従って制御すると共に、下り方向のＨＳ−ＤＰＣＣＨの送信電力を下り方向のＡ−ＤＰＣＨの送信電力と等しい電力に設定する。
【００５２】
一方、ＨＯ判定部７０によってＡ−ＤＰＣＨがＳＨＯ状態にあると判定された場合は、送信無線部８０は、下り方向のＡ−ＤＰＣＨの送信電力をＡ−ＤＰＣＨ用のＴＰＣコマンドに従って制御すると共に、下り方向のＨＳ−ＤＰＣＣＨの送信電力を、下り方向のＡ−ＤＰＣＨの送信電力にオフセット抽出部６８で抽出されたオフセットを加えた電力に設定する。
【００５３】
次に、Ｆａｓｔ−ＵＬを例に挙げ、本実施の形態でのＨＳ−ＤＰＣＣＨの送信電力制御について説明する。なお、Ａ−ＤＰＣＨの送信電力制御については従来と同様のため説明を省略する。
【００５４】
Ａ−ＤＰＣＨがＳＨＯ状態にない場合は、ＨＳ−ＤＰＣＣＨの送信電力は、Ａ−ＤＰＣＨの送信電力と同じ電力に制御される。これにより、Ａ−ＤＰＣＨがＳＨＯ状態にない場合には、ＨＳ−ＤＰＣＣＨの受信ＳＩＲは所要ＳＩＲを満たすことができる。
【００５５】
一方、Ａ−ＤＰＣＨがＳＨＯ状態にあるとき、ＨＨＯが適用されるＨＳ−ＤＰＣＣＨの送信電力は、Ａ−ＤＰＣＨの送信電力にオフセットを加えた電力に制御される。図５および図６は、Ａ−ＤＰＣＨがＳＨＯ状態にある場合を示す。
【００５６】
まず、図５を用いて、ＨＳ−ＤＰＣＣＨの上り方向の送信電力制御について説明する。Ａ−ＤＰＣＨがＳＨＯ状態になると、基地局１は通信端末に対して、下り方向のＨＳ−ＤＰＣＣＨを介して、上り方向のＨＳ−ＤＰＣＣＨ用のオフセットΔＰｕｐの送信を開始する。通信端末は、上り方向のＨＳ−ＤＰＣＣＨの送信電力を、上り方向のＡ−ＤＰＣＨの送信電力にオフセットΔＰｕｐを加えた電力に制御する。
【００５７】
例えば、図５のように、Ａ−ＤＰＣＨについて、基地局１から送信電力を上げることを指示するＴＰＣコマンドが送信され、基地局２から送信電力を下げることを指示するＴＰＣコマンドが送信された場合は、通信端末は、Ａ−ＤＰＣＨ信号の送信電力を下げる。Ａ−ＤＰＣＨがＳＨＯ状態である場合は、基地局１からはＡ−ＤＰＣＨ用のＴＰＣコマンドの他に、オフセットΔＰｕｐが通信端末へ送信される。そこで、通信端末は、基地局１へ送信するＨＳ−ＤＰＣＣＨ信号の送信電力を、Ａ−ＤＰＣＨ信号の送信電力にオフセットΔＰｕｐを加えた電力に制御する。このようにすることで、Ａ−ＤＰＣＨがＳＨＯ状態にある場合でも、ＨＳ−ＤＰＣＣＨの送信電力が適切に制御され、ＨＳ−ＤＰＣＣＨが接続されている基地局においてＨＳ−ＤＰＣＣＨの受信ＳＩＲを所要ＳＩＲに保つことができる。
【００５８】
次に、図６を用いて、ＨＳ−ＤＰＣＣＨの下り方向の送信電力制御について説明する。Ａ−ＤＰＣＨがＳＨＯ状態になると、通信端末は基地局１に対して、上り方向のＨＳ−ＤＰＣＣＨを介して、下り方向のＨＳ−ＤＰＣＣＨ用のオフセットΔＰｄｏｗｎの送信を開始する。基地局１は、下り方向のＨＳ−ＤＰＣＣＨの送信電力を、下り方向のＡ−ＤＰＣＨの送信電力にオフセットΔＰｄｏｗｎを加えた電力に制御する。
【００５９】
例えば、図６のように、通信端末は、Ａ−ＤＰＣＨについて、基地局１から送信されたＡ−ＤＰＣＨ信号と基地局２から送信されたＡ−ＤＰＣＨ信号とを合成し、その合成した信号の受信ＳＩＲが目標ＳＩＲになるようにＴＰＣコマンドを作成する。そして、同一のＴＰＣコマンドを基地局１および基地局２の双方へ送信する。図６の例では、双方へ送信電力を下げることを指示するＴＰＣコマンドが送信されている。このＴＰＣコマンドに従って、基地局１および基地局２は、下り方向のＡ−ＤＰＣＨの送信電力を下げる。Ａ−ＤＰＣＨがＳＨＯ状態である場合は、通信端末からはＡ−ＤＰＣＨ用のＴＰＣコマンドの他に、オフセットΔＰｄｏｗｎが基地局１へ送信される。そこで、基地局１は、通信端末へ送信するＨＳ−ＤＰＣＣＨ信号の送信電力を、通信端末へ送信するＡ−ＤＰＣＨ信号の送信電力にオフセットΔＰｄｏｗｎを加えた電力に制御する。このようにすることで、Ａ−ＤＰＣＨがＳＨＯ状態にある場合でも、ＨＳ−ＤＰＣＣＨの送信電力が適切に制御され、通信端末においてＨＳ−ＤＰＣＣＨの受信ＳＩＲを所要ＳＩＲに保つことができる。
【００６０】
次に、ＨＳ−ＤＰＣＣＨ用のオフセットの送信開始タイミングおよび送信終了タイミングについて図７を用いて説明する。
【００６１】
下り方向のＡ−ＤＰＣＨについては、Ａ−ＤＰＣＨがＳＨＯ状態にあるか否かにかかわらず、１タイムスロット毎に、上り方向のＡ−ＤＰＣＨの送信電力制御に使用されるＴＰＣコマンドおよび下り方向のＡ−ＤＰＣＨのＳＩＲ測定に使用されるパイロットが、基地局から通信端末へ送信される。同様に、上り方向のＡ−ＤＰＣＨについては、Ａ−ＤＰＣＨがＳＨＯ状態にあるか否かにかかわらず、１タイムスロット毎に、下り方向のＡ−ＤＰＣＨの送信電力制御に使用されるＴＰＣコマンドおよび上り方向のＡ−ＤＰＣＨのＳＩＲ測定に使用されるパイロットが、通信端末から基地局へ送信される。
【００６２】
一方、下り方向のＨＳ−ＤＰＣＣＨについては、Ａ−ＤＰＣＨがＳＨＯ状態にある場合だけ、１タイムスロット毎に、上り方向のＨＳ−ＤＰＣＣＨの送信電力制御に使用されるオフセットΔＰｕｐが、基地局から通信端末へ送信される。また、上り方向のＨＳ−ＤＰＣＣＨについては、Ａ−ＤＰＣＨがＳＨＯ状態にある場合だけ、１タイムスロット毎に、下り方向のＨＳ−ＤＰＣＣＨの送信電力制御に使用されるオフセットΔＰｄｏｗｎが、ＣＱＩと共に、通信端末から基地局へ送信される。なお、ＣＱＩは、データ部に含めて送信される。つまり、ＨＳ−ＤＰＣＣＨについては、Ａ−ＤＰＣＨのＳＨＯが開始するとＨＳ−ＤＰＣＣＨ用のオフセットの通知を開始し、Ａ−ＤＰＣＨのＳＨＯが終了するとＨＳ−ＤＰＣＣＨ用のオフセットの通知を終了する。
【００６３】
なお、図７においては、データ、パイロット、ＴＰＣコマンド、オフセットが時間多重されているが、これらはＩＱ多重されても構わない。
【００６４】
このように、Ａ−ＤＰＣＨのＳＨＯ開始／終了タイミングと、ＨＳ−ＤＰＣＣＨ用のオフセットの送信開始／終了タイミングとを合わせることにより、Ａ−ＤＰＣＨがＳＨＯ状態にない場合には、ＨＳ−ＤＰＣＣＨ用の不要なオフセットを送信しなくて済むため、ＨＳ−ＤＰＣＣＨが他のチャネルに与える干渉を軽減することができる。また、通信端末のバッテリー消費を抑えることができる。
【００６５】
なお、本実施の形態ではＦａｓｔ−ＵＬを例に挙げて説明したが、これに限られるものではなく、本発明は、ソフトハンドオーバが適用される個別チャネルとハードハンドオーバが適用される個別チャネルとが存在し、ハードハンドオーバが適用される個別チャネルが上下方向に存在する無線通信システムにはすべて適用可能である。
【００６６】
【発明の効果】
以上説明したように、本発明によれば、ＳＨＯが適用されるＡ−ＤＰＣＨとＨＨＯが適用されるＨＳ−ＤＰＣＣＨとが存在する無線通信システムにおいて、ＨＳ−ＤＰＣＣＨに対して適切な送信電力制御を行って、ＨＳ−ＤＰＣＣＨの受信ＳＩＲを所要ＳＩＲに保つことができる。
【図面の簡単な説明】
【図１】本発明の一実施の形態に係る通信端末装置の構成を示すブロック図
【図２】本発明の一実施の形態に係る下り回線の所要オフセット量の推移の様子を示す図
【図３】本発明の一実施の形態に係る基地局装置の構成を示すブロック図
【図４】本発明の一実施の形態に係る上り回線の所要オフセット量の推移の様子を示す図
【図５】本発明の一実施の形態に係るＨＳ−ＤＰＣＣＨの上り方向の送信電力制御について説明するための図
【図６】本発明の一実施の形態に係るＨＳ−ＤＰＣＣＨの下り方向の送信電力制御について説明するための図
【図７】本発明の一実施の形態に係るＨＳ−ＤＰＣＣＨ用のオフセットの送信開始／終了タイミングを説明するための図
【図８】Ａ−ＤＰＣＨがＳＨＯ状態にない場合の従来の送信電力制御を説明するための図
【図９】従来のＨＳ−ＤＰＣＣＨの上り方向の送信電力制御について説明するための図
【図１０】従来のＨＳ−ＤＰＣＣＨの下り方向の送信電力制御について説明するための図
【符号の説明】
１２，５２  アンテナ
１４，５４  受信無線部
１６，５６  逆拡散部
１８，５８  復調部
２０，６０  復号部
２２，６２  ＴＰＣコマンド抽出部
２４，６４  ＳＩＲ測定部
２６，６６  ＴＰＣコマンド作成部
２８  パイロット測定部
３０，７０  ＨＯ判定部
３２，７２  オフセット算出部
３４，６８  オフセット抽出部
３６，７４  符号化部
３８，７６  変調部
４０，７８  拡散部
４２，８０  送信無線部
１００，３００  受信部
２００，４００  送信部
【図１】
0003574443.tif 000002
【図２】
0003574443.tif 000003
【図３】
0003574443.tif 000004
【図４】
0003574443.tif 000005
【図５】
0003574443.tif 000006
【図６】
0003574443.tif 000007
【図７】
0003574443.tif 000008
【図８】
0003574443.tif 000009
【図９】
0003574443.tif 000010
【図１０】
0003574443.tif 000011